(57)【要約】【課題】自動収集処理を、その実行途中において停止させることが可能となる貨幣処理装置を提供する。【解決手段】機器制御部は、収集開始条件が成立したことに基づいて、金種別収納部内のバラ紙幣を繰り出して、繰り出したバラ紙幣から包装紙幣（束紙幣）を生成し、生成した包装紙幣を金種別束収納部に収納させる自動収集処理を行う。端末制御部は、待機画面Ｓ１上の一時停止ボタンＢ１による一時停止操作に基づいて機器制御部へ一時停止指令を出力し、強制終了ボタンＢ２による強制終了操作に基づいて強制終了指令を機器制御部へ出力する。機器制御部は、一時停止指令または強制終了指令に基づいて自動収集処理を停止させる。【選択図】図１０
2018101371.tif 000002
【特許請求の範囲】
【請求項１】
バラ状態の貨幣であるバラ貨幣を収納するバラ貨幣収納部と、
前記バラ貨幣を所定枚数のまとまりして包装することにより包装貨幣を生成する包装貨幣生成部と、
前記包装貨幣を収納する包装貨幣収納部と、
前記バラ貨幣収納部から繰り出された前記バラ紙幣を前記包装貨幣生成部へ搬送する搬送部と、
前記バラ貨幣収納部内の前記バラ貨幣の量が所定量を超えたとの条件または前記包装貨幣収納部内の前記包装貨幣の量が所定量を割ったとの条件を少なくとも含む収集開始条件が成立したことに基づいて、前記バラ貨幣収納部内の前記バラ貨幣を繰り出して、繰り出した前記バラ貨幣から前記包装貨幣を生成し、生成した前記包装貨幣を前記包装貨幣収納部に収納させる自動収集処理を行う制御部と、
停止操作を受け付ける停止操作受付部と、を備え、
前記制御部は、前記自動収集処理が行われているときに前記停止操作がなされたことに基づいて前記自動収集処理を停止させる、
ことを特徴とする貨幣処理装置。
【請求項２】
前記制御部は、前記自動収集処理を停止させる前に、前記バラ貨幣収納部から前記搬送部に繰り出されている前記バラ貨幣を、少なくとも前記包装貨幣生成部へ送り込むまたは前記バラ貨幣収納部へ戻すことにより、前記搬送部上から除去する停止処理を行う、
ことを特徴とする請求項１に記載の貨幣処理装置。
【請求項３】
前記停止処理は、前記所定枚数に揃うまで前記包装貨幣生成部に前記バラ貨幣を送り込み、前記所定枚数に揃った前記バラ貨幣から前記包装貨幣を生成し、生成した前記包装貨幣を前記包装貨幣収納部に収納させる処理を含む、
ことを特徴とする請求項２に記載の貨幣処理装置。
【請求項４】
前記貨幣処理装置の電源をオフするオフ操作を受け付けるオフ操作受付部を、さらに備え、
前記制御部は、前記自動収集処理が行われているときに前記オフ操作がなされたことに基づいて、前記停止処理を行った後に前記自動収集処理を停止させる、
ことを特徴とする請求項２または３に記載の貨幣処理装置。
【請求項５】
前記制御部は、前記自動収集処理の停止中に前記オフ操作が受け付けられたことに基づいて、前記所定枚数に揃うまで前記包装貨幣生成部に前記バラ貨幣を送り込み、前記所定枚数に揃った前記バラ貨幣から前記包装貨幣を生成し、生成した前記包装貨幣を前記包装貨幣収納部に収納させる処理を行う、
ことを特徴とする請求項４に記載の貨幣処理装置。
【請求項６】
前記制御部は、前記自動収集処理を停止させたとき、前記自動収集処理が停止中であることを通知部に通知させる、
ことを特徴とする請求項１ないし５の何れか一項に記載の貨幣処理装置。
【請求項７】
再開操作を受け付ける再開操作受付部を、さらに備え、
前記制御部は、前記再開操作に基づいて、停止していた前記自動収集処理を再開させる、
ことを特徴とする請求項１ないし６の何れか一項に記載の貨幣処理装置。
【請求項８】
前記制御部は、前記自動収集処理を停止させてから所定の制限時間が経過したことに基づいて、停止していた前記自動収集処理を再開させる、
ことを特徴とする請求項１ないし７の何れか一項に記載の貨幣処理装置。
【請求項９】
前記制御部は、
前記自動収集処理を停止させる際、前記自動収集処理の進行状況に係る情報を記憶部に記憶させ、
再開させた前記自動収集処理を、前記記憶部から読み出した前記進行状況に係る情報に基づいて行う、
ことを特徴とする請求項７または８に記載の貨幣処理装置。
【請求項１０】
バラ状態の貨幣であるバラ貨幣を収納するバラ貨幣収納部と、前記バラ貨幣を所定数のまとまりして包装することにより包装貨幣を生成する包装貨幣生成部と、前記包装貨幣を収納する包装貨幣収納部と、を含む貨幣処理装置と、当該貨幣処理装置を管理する管理装置とを備える貨幣処理システムにおいて、
前記バラ貨幣収納部内の前記バラ貨幣の量が所定量を超えたとの条件または前記包装貨幣収納部内の前記包装貨幣の量が所定量を割ったとの条件を少なくとも含む収集開始条件が成立したことに基づいて、前記バラ貨幣収納部内の前記バラ貨幣を繰り出して、繰り出した前記バラ貨幣から前記包装貨幣を生成し、生成した前記包装貨幣を前記包装貨幣収納部に収納させる自動収集処理を行う制御部と、
停止操作を受け付ける停止操作受付部と、を備え、
前記制御部は、前記自動収集処理が行われているときに前記停止操作がなされたことに基づいて前記自動収集処理を停止させる、
ことを特徴とする貨幣処理システム。
【請求項１１】
バラ貨幣収納部のバラ状態の紙幣であるバラ貨幣の量が所定量を超えたとの条件または包装貨幣収納部内の、前記バラ貨幣を所定数のまとまりして包装することにより生成された包装貨幣の量が所定量を割ったとの条件を少なくとも含む収集開始条件が成立したことに基づいて、前記バラ貨幣収納部内の前記バラ貨幣を繰り出して、繰り出した前記バラ貨幣から前記包装貨幣を生成し、生成した前記包装貨幣を前記包装貨幣収納部に収納させる自動収集処理を行い、
前記自動収集処理が行われているときに、停止操作を受け付け、
前記停止操作がなされたことに基づいて前記自動収集処理を停止させる、
ことを特徴とする貨幣処理方法。
【発明の詳細な説明】
【技術分野】
【０００１】
本発明は、紙幣、硬貨等の貨幣を処理する貨幣処理装置、貨幣処理システムおよび貨幣処理方法に関する。
【背景技術】
【０００２】
入金されたバラ状態の貨幣を金種別に収納するバラ貨幣収納部と、バラ貨幣収納部から繰り出されたバラ貨幣を所定枚数ごとに結束・包装等の包装処理を行う貨幣包装手段と、貨幣包装手段で包装された包装貨幣を金種別に収納する包装貨幣収納部と、を備え、少なくとも、バラ貨幣収納部の貨幣量が所定量以上になった時または包装貨幣収納部の貨幣量が補充開始量以下になった時に、自動的にバラ貨幣収納部からバラ貨幣を繰り出して包装し、包装貨幣収納部へ収納させる自動収集処理を行うようにした貨幣処理装置が特許文献１に開示されている。
【先行技術文献】
【特許文献】
【０００３】
【特許文献１】特開２００６−２１５８１０号公報
【発明の概要】
【発明が解決しようとする課題】
【０００４】
上記の貨幣処理装置では、自動収集処理が、その実行が望まれないタイミングで開始される場合がある。たとえば、貨幣処理装置の周囲を静かな環境に保つ必要があるために貨幣処理装置から動作音を発生させたくない状況のときや係員が貨幣処理装置の電源を切って帰宅しようとする状況のときなどである。
【０００５】
このような場合、開始された自動収集処理を途中で停止させたいが、上記の貨幣処理装置には、このような機能が備えられていない。
【０００６】
かかる課題に鑑み、本発明は、自動収集処理を、その実行途中において停止させることが可能となる貨幣処理装置、貨幣処理システムおよび貨幣処理方法を提供することを目的とする。
【課題を解決するための手段】
【０００７】
本発明の第１の態様に係る貨幣処理装置は、バラ状態の貨幣であるバラ貨幣を収納するバラ貨幣収納部と、前記バラ貨幣を所定枚数のまとまりして包装することにより包装貨幣を生成する包装貨幣生成部と、前記包装貨幣を収納する包装貨幣収納部と、前記バラ貨幣収納部から繰り出された前記バラ紙幣を前記包装貨幣生成部へ搬送する搬送部と、前記バラ貨幣収納部内の前記バラ貨幣の量が所定量を超えたとの条件または前記包装貨幣収納部内の前記包装貨幣の量が所定量を割ったとの条件を少なくとも含む収集開始条件が成立したことに基づいて、前記バラ貨幣収納部内の前記バラ貨幣を繰り出して、繰り出した前記バラ貨幣から前記包装貨幣を生成し、生成した前記包装貨幣を前記包装貨幣収納部に収納させる自動収集処理を行う制御部と、停止操作を受け付ける停止操作受付部と、を備える。ここで、前記制御部は、前記自動収集処理が行われているときに前記停止操作がなされたことに基づいて前記自動収集処理を停止させる。
【０００８】
なお、請求項１に記載の「包装貨幣」との概念には、少なくとも、所定枚数の紙幣を束状に集積し、束状の紙幣を帯封で包装（結束）することにより生成された包装紙幣と、所定枚数の硬貨を棒状に集積し、棒状の硬貨を包装材で包装することにより生成された包装硬貨とが含まれる。
【０００９】
上記の構成によれば、停止操作を行うことによって、実行途中の自動収集処理を停止させることができる。
【００１０】
本態様に係る貨幣処理装置において、前記制御部は、前記自動収集処理を停止させる前に、前記バラ貨幣収納部から前記搬送部に繰り出されている前記バラ貨幣を、少なくとも前記包装貨幣生成部へ送り込むまたは前記バラ貨幣収納部へ戻すことにより、前記搬送部上から除去する停止処理を行うような構成とされ得る。
【００１１】
上記の構成によれば、自動収集処理の停止中に入金処理や出金処理が行われることが生じても、搬送部にバラ貨幣が残留していないので、エラーに繋がってしまうことが防止される。
【００１２】
上記の構成とされた場合、さらに、前記停止処理は、前記所定枚数に揃うまで前記包装貨幣生成部に前記バラ貨幣を送り込み、前記所定枚数に揃った前記バラ貨幣から前記包装貨幣を生成し、生成した前記包装貨幣を前記包装貨幣収納部に収納させる処理を含み得る。
【００１３】
このような構成とされた場合、自動収集処理を停止したときに、包装貨幣生成部内にバラ貨幣を残さないようにすることができる。
【００１４】
本態様に係る貨幣処理装置において、前記貨幣処理装置の電源をオフするオフ操作を受け付けるオフ操作受付部を、さらに備えるような構成が採られ得る。この場合、前記制御部は、前記自動収集処理が行われているときに前記オフ操作がなされたことに基づいて、前記停止処理を行った後に前記自動収集処理を停止させる。
【００１５】
上記の構成によれば、少なくとも搬送部にバラ貨幣が残留した状態で貨幣処理装置の電源がオフされることが防止できる。
【００１６】
上記の構成とされた場合、さらに、前記制御部は、前記自動収集処理の停止中に前記オフ操作が受け付けられたことに基づいて、前記所定枚数に揃うまで前記包装貨幣生成部に前記バラ貨幣を送り込み、前記所定枚数に揃った前記バラ貨幣から前記包装貨幣を生成し、生成した前記包装貨幣を前記包装貨幣収納部に収納させる処理を行うような構成とされ得る。
【００１７】
このような構成とされた場合、包装貨幣生成部にバラ貨幣が残留した状態で貨幣処理装置の電源がオフされることが防止される。
【００１８】
本態様に係る貨幣処理装置において、前記制御部は、前記自動収集処理を停止させたとき、前記自動収集処理が停止中であることを通知部に通知させるような構成とされ得る。
【００１９】
上記の構成によれば、自動収集処理が停止中であることを係員等が認識できる。
【００２０】
本態様に係る貨幣処理装置において、再開操作を受け付ける再開操作受付部を、さらに備えるような構成が採られ得る。この場合、前記制御部は、前記再開操作に基づいて、停止していた前記自動収集処理を再開させる。
【００２１】
上記の構成によれば、都合が良くなったときに、停止している自動収集処理を再開させることができる。
【００２２】
本態様に係る貨幣処理装置において、前記制御部は、前記自動収集処理を停止させてから所定の制限時間が経過したことに基づいて、停止していた前記自動収集処理を再開させるような構成とされ得る。
【００２３】
上記の構成によれば、自動収集処理が停止されたまま放置されることを防止できる。
【００２４】
貨幣処理装置が自動収集処理を再開できるような構成とされた場合、さらに、前記制御部は、前記自動収集処理を停止させる際、前記自動収集処理の進行状況に係る情報を記憶部に記憶させ、再開させた前記自動収集処理を、前記記憶部から読み出した前記進行状況に係る情報に基づいて行うような構成が採られ得る。
【００２５】
このような構成とされた場合、自動収集処理を停止前の続きから適正に再開させることが可能となる。
【００２６】
本発明の第２の態様は、バラ状態の貨幣であるバラ貨幣を収納するバラ貨幣収納部と、前記バラ貨幣を所定枚数のまとまりして包装することにより包装貨幣を生成する包装貨幣生成部と、前記包装貨幣を収納する包装貨幣収納部と、を含む貨幣処理装置と、当該貨幣処理装置を管理する管理装置とを備える貨幣処理システムに関する。本態様に係る貨幣処理システムは、前記バラ貨幣収納部内の前記バラ貨幣の量が所定量を超えたとの条件または前記包装貨幣収納部内の前記包装貨幣の量が所定量を割ったとの条件を少なくとも含む収集開始条件が成立したことに基づいて、前記バラ貨幣収納部内の前記バラ貨幣を繰り出して、繰り出した前記バラ貨幣から前記包装貨幣を生成し、生成した前記包装貨幣を前記包装貨幣収納部に収納させる自動収集処理を行う制御部と、停止操作を受け付ける停止操作受付部と、を備える。ここで、前記制御部は、前記自動収集処理が行われているときに前記停止操作がなされたことに基づいて前記自動収集処理を停止させる。
【００２７】
上記の構成によれば、第１の態様に係る貨幣処理装置と同様の作用効果を奏することができる。
【００２８】
本発明の第３の態様に係る貨幣処理方法は、バラ貨幣収納部のバラ状態の紙幣であるバラ貨幣の量が所定量を超えたとの条件または包装貨幣収納部内の、前記バラ貨幣を所定枚数のまとまりして包装することにより生成された包装貨幣の量が所定量を割ったとの条件を少なくとも含む収集開始条件が成立したことに基づいて、前記バラ貨幣収納部内の前記バラ貨幣を繰り出して、繰り出した前記バラ貨幣から前記包装貨幣を生成し、生成した前記包装貨幣を前記包装貨幣収納部に収納させる自動収集処理を行い、前記自動収集処理が行われているときに、停止操作を受け付け、前記停止操作がなされたことに基づいて前記自動収集処理を停止させる。
【００２９】
上記の方法によれば、第１の態様に係る貨幣処理装置と同様の作用効果を奏することができる。
【発明の効果】
【００３０】
本発明によれば、自動収集処理を、その実行途中において停止させることが可能となる。
【００３１】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３２】
【図１】図１は、実施形態に係る、出納機および出納機が含まれる貨幣処理システムの構成を示す図である。
【図２】図２は、実施形態に係る、紙幣処理ユニットの内部構成を示す概要図である。
【図３】図３（ａ）および（ｂ）は、実施形態に係る、紙幣の入金処理が行われたときの紙幣処理ユニット内での紙幣の流れを示す図である。
【図４】図４（ａ）は、実施形態に係る、紙幣の出金処理が行われたときの紙幣処理ユニット内での紙幣の流れを示す図であり、図４（ｂ）は、金種別収納部内のバラ紙幣から束紙幣を生成し、金種別束収納部に収納するときの紙幣処理ユニット内での紙幣の流れを示す図である。
【図５】図５は、実施形態に係る、出納機の主たる構成を示すブロック図である。
【図６】図６は、実施形態に係る、紙幣処理ユニット側で行われる自動収集制御処理のフローチャートである。
【図７】図７は、実施形態に係る、操作端末側で行われる自動収集制御処理のフローチャートである。
【図８】図８は、実施形態に係る、操作端末側で行われる自動収集制御処理のフローチャートである。
【図９】図９は、実施形態に係る、操作端末側で行われる自動収集制御処理のフローチャートである。
【図１０】図１０（ａ）は、実施形態に係る、自動収集処理が開始される前の待機画面の状態を示す図であり、図１０（ｂ）は、実施形態に係る、自動収集処理が行われているときの待機画面の状態を示す図である。図１０（ｃ）は、実施形態に係る、自動収集処理が一時停止されているときの待機画面の状態を示す図であり、図１０（ｄ）は、本実施形態に係る、待機画面上に再開確認ウィンドウがポップアップ表示された状態を示す図である。
【図１１】図１１（ａ）は、実施形態に係る、待機画面上に収集時確認ウィンドウがポップアップ表示された状態を示す図であり、図１１（ｂ）は、実施形態に係る、待機画面上に停止時確認ウィンドウがポップアップ表示された状態を示す図である。
【図１２】図１２（ａ）および（ｂ）は、実施形態に係る、硬貨の自動収集処理に関係して操作表示部に表示される待機画面を示す図である。
【図１３】図１３は、変更例１に係る、操作端末側で行われる自動収集制御処理のフローチャートである。
【図１４】図１４（ａ）は、変更例２に係る、自動収集処理が開始される前の待機画面の状態を示す図であり、図１４（ｂ）は、変更例２に係る、自動収集処理が行われているときの待機画面の状態を示す図である。
【発明を実施するための形態】
【００３３】
以下、本発明の実施形態について、図面を参照して説明する。
【００３４】
以下の実施形態において、出納機１が特許請求の範囲に記載の「貨幣処理装置」に対応する。また、管理コンピュータ２が特許請求の範囲に記載の「管理装置」に対応する。さらに、金種別収納部２００が特許請求の範囲に記載の「バラ貨幣収納部」に対応する。さらに、金種別束収納部２５０が特許請求の範囲に記載の「包装貨幣収納部」に対応する。さらに、機器記憶部２７０が特許請求の範囲に記載の「記憶部」に対応する。さらに、包装紙幣生成部２８０が特許請求の範囲に記載の「包装貨幣生成部」に対応する。さらに、操作表示部３１０が特許請求の範囲に記載の「停止操作受付部」、「オフ操作受付部」、「再開操作受付部」および「通知部」に対応する。さらに、機器制御部２６０および端末制御部３２０によって特許請求の範囲に記載の「制御部」が構成される。
【００３５】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００３６】
図１は、本実施形態に係る、出納機１および出納機１が含まれる貨幣処理システム４の構成を示す図である。
【００３７】
出納機１は、銀行等の金融機関の店舗内に設置される。出納機１は、管理コンピュータ２に、店舗内ＬＡＮ等のネットワーク回線３を介して通信可能に接続される。出納機１は、管理コンピュータ２とともに、店舗内に構築された貨幣処理システム４を構成する。貨幣処理システム４には、これら構成の他、金融業務に関係する取引に利用される他の機器、たとえば、窓口カウンタに設置され、テラーにより操作される貨幣入出金機（図示せず）および窓口端末（図示せず）が含まれ得る。
【００３８】
管理コンピュータ２は、出納機１および他の機器の管理を行う。管理コンピュータ２は、これら機器から送られてきた各種データを一元管理するため、制御部２ａおよび記憶部２ｂを備える。また、管理コンピュータ２は、タッチパネルタイプのモニタディスプレイ２ｃを備える。
【００３９】
出納機１は、紙幣処理ユニット１０と、硬貨処理ユニット２０と、操作端末３０と、プリンタ４０とを備える。操作端末３０と、紙幣処理ユニット１０、硬貨処理ユニット２０およびプリンタ４０とは、たとえば、通信ケーブル（図示せず）で接続される。なお、このような有線方式ではなく無線方式による接続がなされてもよい。
【００４０】
紙幣処理ユニット１０は、外郭を構成する筐体１１を備える。筐体１１の正面には、中央部に入金口１２および出金口１３が上下に並んで設けられ、上部に束出金口１４が設けられる。出金口１３は、上下開きのシャッター１３ａによって開閉され、束出金口１４は、左右開きのシャッター１４ａにより開閉される。入金口１２にはバラの状態の紙幣（バラ紙幣）が投入され、出金口１３にはバラ紙幣が払い出される。束出金口１４には、包装紙幣である束紙幣が払い出される。束紙幣は、所定枚数（たとえば、１００枚）のバラ紙幣が帯封によって結束されることにより生成される。さらに、筐体１１の正面には、下部に扉１５が設けられる。この下部の扉１５を開放させることにより、一時保留部１８０、一括収納部１９０および金種別収納部２００を筐体１１の外へ引き出すことができ、これらに対する紙幣の出し入れができる。なお、筐体１１には、扉１５の他にも扉（図示せず）が設けられる。なお、以下、束紙幣との関係からバラ紙幣との称することが望ましい場合を除き、バラ紙幣を単に紙幣と称する。
【００４１】
図２は、本実施形態に係る、紙幣処理ユニット１０の内部構成を示す概要図である。
【００４２】
紙幣処理ユニット１０は、入金部１１０と、出金リジェクト部１２０と、出金部１３０と、束出金部１４０と、搬送部１５０と、識別部１６０と、表裏揃え部１７０と、一時保留部１８０と、一括収納部１９０と、３つの金種別収納部２００と、２つの集積部２１０と、結束部２２０と、揚送部２３０と、束搬送部２４０と、４つの金種別束収納部２５０とを備える。
【００４３】
入金部１１０は、入金口１２に設けられる。入金部１１０は、繰出機構を備え、投入されたバラ紙幣を一枚ずつ搬送部１５０へ繰り出す。出金リジェクト部１２０は、主に、出金部１３０への出金時に、識別部１６０により属性（真偽、金種、表裏等）が識別できず、正常な紙幣と見做されない紙幣を受け取る。
【００４４】
出金部１３０は、出金口１３に設けられる。出金部１３０は、主に、一時保留部１８０から返却された紙幣や金種別収納部２００から繰り出された紙幣を受け取る。出金部１３０は、入金リジェクト部としても機能し、入金部１１０からの入金時に、識別部１６０により属性（真偽、金種、表裏等）が識別できず、正常な紙幣と見做されない紙幣を受け取る。束出金部１４０は、束出金口１４に設けられ、主に、金種別束収納部２５０から繰り出された束紙幣を受け取る。
【００４５】
搬送部１５０は、入金部１１０と、出金リジェクト部１２０と、出金部１３０と、一時保留部１８０と、一括収納部１９０と、３つの金種別収納部２００と、２つの集積部２１０との間に巡らされ、これらの間において紙幣の搬送を行う。
【００４６】
識別部１６０は、搬送部１５０を流れる紙幣の属性を識別し、識別結果を後述する機器制御部に出力する。識別される属性には、紙幣の真偽および金種、紙幣の表裏の向きが含まれる。また、識別部１６０は、紙幣の計数を行う。
【００４７】
表裏揃え部１７０は、搬送部１５０の一部を構成する反転部１７１および非反転部１７２を含み、搬送部１５０を流れる紙幣の表裏の向きを揃える。たとえば、裏を向く紙幣が反転部１７１に通され、表を向く紙幣が非反転部１７２に通されることにより、紙幣が表向きに揃えられる。
【００４８】
一時保留部１８０は、入金部１１０に投入され、識別部１６０により属性が識別された正常な紙幣を、一時的に保留する。一時保留部１８０は、繰出機構を備えており、保留された紙幣を搬送部１５０へ繰り出すことができる。
【００４９】
一括収納部１９０は、一時保留部１８０から繰り出された紙幣であって、識別部１６０により金種が識別できなかった紙幣や、２千円札など、金種別収納部２００が割り当てられていない紙幣や、対応する金種別収納部２００に収納しきれなかったオーバーフロー紙幣等を収納する。
【００５０】
金種別収納部２００には、一時保留部１８０から繰り出された紙幣であって、識別部１６０により金種が識別された紙幣が、金種ごとに振り分けて収納される。金種別収納部２００は、繰出機構を備えており、収納された紙幣を搬送部１５０へ繰り出すことができる。各金種別収納部２００は、一括収納部１９０に近い側から第１収納部２０１、第２収納部２０２および第３収納部２０３とされる。たとえば、第１収納部２０１に１万円の金種が割り当てられ、第２収納部２０２に５千円の金種が割り当てられ、第３収納部２０３に千円の金種が割り当てられる。
【００５１】
集積部２１０は、搬送部１５０により搬送されたバラ紙幣を、帯封により結束される結束単位となる所定の結束枚数（たとえば、１００枚）となるまで集積する。結束部２２０は、アーム機構、結束機構および搬送機構を備え、集積部２１０に集積されたバラ紙幣の束をアーム機構により取り出し、取り出したバラ紙幣の束に、結束機構により帯封を掛けて束紙幣を生成し、生成した束紙幣を搬送機構により揚送部２３０へ送り込む。なお、集積部２１０と結束部２２０によって、包装紙幣生成部２８０が構成される。
【００５２】
揚送部２３０は、上下方向に搬送路が形成されるとともに搬送路内にリフト機構を備え、結束部２２０から送り込まれた束紙幣をリフト機構によって揚送部２３０の上部に配置された束搬送部２４０へ送る。束搬送部２４０は、揚送部２３０から送られてきた束紙幣を、４つの金種別束収納部２５０のうち、その束紙幣の金種に対応する金種別束収納部２５０へ搬送する。また、束搬送部２４０は、各金種別束収納部２５０から繰り出された束紙幣を束出金部１４０へ搬送する。
【００５３】
４つの金種別束収納部２５０は、それぞれに割り当てられた金種の束紙幣を収納する。たとえば、２つの金種別束収納部２５０に１万円の金種が割り当てられ、残りの２つの金種別束収納部２５０に、千円および５千円の金種が割り当てられる。金種別束収納部２５０は、繰出機構を備えており、収納された束紙幣を束搬送部２４０へ繰り出すことができる。
【００５４】
図３（ａ）および（ｂ）は、本実施形態に係る、紙幣の入金処理が行われたときの紙幣処理ユニット１０内での紙幣の流れを示す図である。図４（ａ）は、本実施形態に係る、紙幣の出金処理が行われたときの紙幣処理ユニット１０内での紙幣の流れを示す図であり、図４（ｂ）は、金種別収納部２００内のバラ紙幣から束紙幣を生成し、金種別束収納部２５０に収納するときの紙幣処理ユニット１０内での紙幣の流れを示す図である。
【００５５】
紙幣の入金処理を行う際には、入金される紙幣が係員によって入金部１１０に投入される。係員による入金の開始操作が行われると、図３（ａ）に示すように、入金部１１０に投入された紙幣が、一枚ずつ繰り出されて搬送部１５０で搬送され、その際に識別部１６０で紙幣の属性が識別される。識別部１６０での識別の結果、正常と見做された紙幣が、表裏揃え部１７０で表裏が揃えられた後に一時保留部１８０に保留される。
【００５６】
紙幣が一時保留部１８０に一時的に保留された状態で、係員による入金の確定操作が行われると、図３（ｂ）に示すように、一時保留部１８０から紙幣が一枚ずつ繰り出されて搬送部１５０で搬送され、その際に識別部１６０で紙幣の金種が識別される。そして、金種が識別された紙幣は、その金種が割り当てられた一括収納部１９０や金種別収納部２００に収納される。なお、係員により返却操作がなされた場合は、一時保留部１８０内の紙幣が出金部１３０に返却される。
【００５７】
紙幣の出金処理を行う際には、係員によって、出金される紙幣の枚数や金額が指定され、開始操作が行われる。図４（ａ）に示すように、出金される金種に応じた金種別収納部２００内のバラ紙幣が、一枚ずつ繰り出されて搬送部１５０で搬送され、その際に識別部１６０で紙幣の属性が識別される。識別部１６０での識別の結果、正常と見做された紙幣が、出金部１３０に投出される。
【００５８】
収集開始条件の成立により自動で行われる自動収集処理（後述する）、あるいは束数を指定して手動で行われる手動収集処理の際には、図４（ｂ）に示すように、対象となる金種別収納部２００からバラ紙幣が繰り出され、繰り出されたバラ紙幣が搬送部１５０によって集積部２１０まで搬送される。搬送されたバラ紙幣は、２つの集積部２１０において、交互に、結束枚数に揃うまで集積される。結束枚数に揃った紙幣は、結束部２２０において帯封で結束（包装）される。これにより、束紙幣（包装紙幣）が生成される。生成された束紙幣は、揚送部２３０と束搬送部２４０とにより搬送され、その束紙幣の金種に対応する金種別束収納部２５０に収納される。
【００５９】
図１に戻り、硬貨処理ユニット２０は、外郭を構成する筐体２０ａを備える。筐体２０ａの上面には、入金口２１が設けられる。また、筐体２０ａの正面には、左側に入金リジェクト口２２、バラ一括箱２３、返却箱２４、出金箱２５および袋取りシュート２６が設けられ、右側に包装硬貨出金口２７、包装硬貨一括箱２８および機外投出口２９が設けられる。バラ一括箱２３、返却箱２４、出金箱２５、袋取りシュート２６および包装硬貨一括箱２８は、筐体２０ａから前方に引き出し自在に構成される。
【００６０】
硬貨処理ユニット２０の内部には、複数の金種別収納部からなるバラ硬貨収納部２０Ａと、各金種別収納部に対応する複数の保留部からなるバラ硬貨一時保留部２０Ｂと、集積部と包装部とからなる包装硬貨生成部２０Ｃと、複数の金種別収納部からなる包装硬貨収納部２０Ｄとが設けられる。
【００６１】
硬貨を入金する入金処理の際には、バラ状態の硬貨（バラ硬貨）が入金口２１に投入される。投入されたバラ硬貨は、一枚ずつ繰り出されて識別され、正常な硬貨でない場合は、入金リジェクト口２２に返却され、正常な硬貨である場合は、バラ硬貨一時保留部２０Ｂに一時的に収納される。バラ硬貨一時保留部２０Ｂ内のバラ硬貨は、承認操作がなされるとバラ硬貨収納部２０Ａに収納され、返却操作がなされると返却箱２４に返却される。バラ硬貨収納部２０Ａにバラ硬貨が収納しきれなくなった場合、オーバーフローしたバラ硬貨がバラ一括箱２３に収納される。
【００６２】
硬貨を出金する出金処理の際には、バラ硬貨収納部２０Ａ内のバラ硬貨が出金箱２５に払い出される。バラ硬貨を出金して袋詰めする場合には、筐体２０ａから引き出された袋取りシュート２６に現金袋が接続され、バラ硬貨収納部２０Ａ内のバラ硬貨が袋取りシュート２６を通じて現金袋に投出される。
【００６３】
さらに、硬貨処理ユニット２０では、包装のために入金口２１に投入されたバラ硬貨が包装硬貨生成部２０Ｃに送られる。包装硬貨生成部２０Ｃでは、集積部において所定の包装数枚（たとえば、５０枚）のバラ硬貨が棒状に重ねられ、包装部において棒状の硬貨が包装材で包装される。これにより、包装硬貨が生成される。生成された包装硬貨は、包装硬貨収納部２０Ｄに収納される、あるいは包装硬貨出金口２７に払い出される。包装硬貨が大量に払い出される場合には、機外投出口２９が利用される。この場合、機外投出口２９の下方に包装硬貨を受ける現金箱等が置かれる。包装硬貨収納部２０Ｄに包装硬貨が収納しきれなくなった場合、オーバーフローした包装硬貨が包装硬貨一括箱２８に収納される。
【００６４】
なお、紙幣の場合と同様、自動収集処理または手動収集処理が行われたときには、バラ硬貨収納部２０Ａのバラ硬貨が繰り出されて、これらバラ硬貨から包装貨幣が生成され、包装硬貨収納部２０Ｄに収納される。
【００６５】
操作端末３０およびプリンタ４０は、硬貨処理ユニット２０の上部に配置される。操作端末３０には、正面に操作表示部３１０が設けられる。操作表示部３１０は、操作のための画面を表示するとともに、表示された画面への操作を受け付ける。プリンタ４０は、入出金された紙幣の枚数、金額等、処理結果の情報を、ジャーナルとして用紙に印字する。なお、操作端末３０は、テラー、その他の係員が所有するタブレット端末５や携帯電話端末６との間で、近距離無線による通信を行うことができる。これらタブレット端末５や携帯電話端末６が貨幣処理システム４に含まれる場合もある。
【００６６】
図５は、本実施形態に係る、出納機１の主たる構成を示すブロック図である。
【００６７】
紙幣処理ユニット１０は、上述した各部１１０〜２５０の他、機器制御部２６０、機器記憶部２７０を備える。
【００６８】
機器制御部２６０は、ＣＰＵ（Central Processing Unit）等の演算回路を備え、機器記憶部２７０に記憶されたプログラムに従って、各部１１０〜２５０を制御する。機器記憶部２７０は、ＲＯＭ（Read Only Memory）、ＲＡＭ（Random Access Memory）やハードディスク等の記憶媒体を備え、機器制御部２６０の動作プログラムを記憶し、また、機器制御部２６０の制御処理の際にワーク領域として利用される。
【００６９】
操作端末３０は、上述した操作表示部３１０の他、端末制御部３２０、端末記憶部３３０および通信部３４０を備える。
【００７０】
操作表示部３１０は、ディスプレイ３１１とタッチセンサ３１２とからなるタッチパネルで構成される。ディスプレイ３１１は、各種の画像（画面）を表示する。タッチセンサ３１２は、ディスプレイ３１１に重ねられディスプレイ３１１に対するユーザのタッチ操作を検出する。
【００７１】
端末制御部３２０は、ＣＰＵ等の演算回路を備え、端末記憶部３３０に記憶されたプログラムに従って、操作表示部３１０、通信部３４０、プリンタ４０等を制御する。また、端末制御部３２０は、紙幣処理ユニット１０の機器制御部２６０および硬貨処理ユニット２０の機器制御部４００との間で、各種情報（指令を含む）のやり取りを行う。なお、機器制御部４００は、上述したバラ硬貨収納部２０Ａ、バラ硬貨一時保留部２０Ｂ、包装硬貨生成部２０Ｃ、包装硬貨収納部２０Ｄ等、硬貨処理ユニット２０内の各部を制御する。
【００７２】
端末記憶部３３０は、ＲＯＭ、ＲＡＭやハードディスク等の記憶媒体を備え、端末制御部３２０の動作プログラムを記憶し、また、端末制御部３２０の制御処理の際にワーク領域として利用される。
【００７３】
端末記憶部３３０には、紙幣処理ユニット１０の一括収納部１９０および各金種別収納部２００内に収納されたバラ紙幣の数量データが、各収納部１９０、２００に割り当てられた金種に対応付けられて記憶される。また、端末記憶部３３０には、各金種別束収納部２５０内に収納された束紙幣の数量データが、各金種別束収納部２５０に割り当てられた金種に対応付けられて記憶される。バラ紙幣や束紙幣の数量データは、新たな取引処理（入金処理、出金処理等）が行われると、その際に行われる識別部１６０での枚数の計数結果に応じて更新される。
【００７４】
同様に、端末記憶部３３０には、硬貨処理ユニット２０のバラ硬貨収納部２０Ａの各金種別収納部に収納された硬貨の数量データが、各金種別収納部に割り当てられた金種に対応付けられて記憶される。また、端末記憶部３３０には、包装硬貨収納部２０Ｄの各金種別収納部に収納された包装硬貨の数量データが、各金種別収納部に割り当てられた金種に対応付けられて記憶される。
【００７５】
なお、金種別収納部２００等に、収納された貨幣（紙幣、硬貨）の数量を検出するための検出センサが設けられてもよい。
【００７６】
出納機１には、紙幣処理ユニット１０、硬貨処理ユニット２０、操作端末３０およびプリンタ４０に電源を供給する電源ユニット５０が備えられる。電源ユニット５０には、出納機１の所定の部位に設けられ、係員による電源をオンするオン操作および電源をオフするオフ操作を受け付ける電源スイッチ５０ａが含まれる。
【００７７】
さて、本実施形態の出納機１には、自動収集処理を行う機能が備えられている。自動収集処理は、紙幣処理ユニット１０における金種別収納部２００内のバラ紙幣や硬貨処理ユニット２０におけるバラ硬貨収納部２０Ａの金種別収納部内のバラ硬貨の収納量が満杯や満杯に近い状態となったときに、それら金種別収納部２００等内に空を作ることで新たに入金されるバラ紙幣やバラ硬貨の受入れが可能となるよう、自動的に、それら金種別収納部２００等からバラ紙幣やバラ硬貨を繰り出して、束紙幣や包装硬貨を生成し、生成した束紙幣や包装硬貨を紙幣処理ユニット１０における金種別束収納部２５０内や硬貨処理ユニット２０おけるに包装硬貨収納部２０Ｄの金種別収納部に収納させる処理である。また、金種別束収納部２５０等に収納された束紙幣や包装硬貨の数量が少なくなった場合にも、自動収集処理が行われる。
【００７８】
自動収集処理は、出納機１が自動的に行うものであるため、その実行が係員等に望まれないタイミングで開始される場合がある。そこで、本実施形態の出納機１では、紙幣および硬貨、即ち貨幣の自動収集処理が、その実行途中において停止することを可能としている。
【００７９】
貨幣の自動収集処理を行うための制御処理（以下、「自動収集制御処理」と称する）が機器制御部２６０、４００と端末制御部３２０とにより行われる。
【００８０】
紙幣処理ユニット１０（機器制御部２６０）と操作端末３０（端末制御部３２０）とで行われる紙幣の自動収集制御処理と、硬貨処理ユニット２０（機器制御部４００）と操作端末３０（端末制御部３２０）とで行われる硬貨の自動収集制御処理との違いは、主として、対象となる貨幣が紙幣であるか硬貨であるかである。よって、以下では、代表例として、紙幣の自動収集制御処理について説明する。
【００８１】
図６は、本実施形態に係る、紙幣処理ユニット１０側で行われる自動収集制御処理のフローチャートである。図７ないし図９は、本実施形態に係る、操作端末３０側で行われる自動収集制御処理のフローチャートである。図１０（ａ）は、本実施形態に係る、自動収集処理が開始される前の待機画面Ｓ１の状態を示す図であり、図１０（ｂ）は、本実施形態に係る、自動収集処理が行われているときの待機画面Ｓ１の状態を示す図である。図１０（ｃ）は、本実施形態に係る、自動収集処理が一時停止されているときの待機画面Ｓ１の状態を示す図であり、図１０（ｄ）は、本実施形態に係る、待機画面Ｓ１上に再開確認ウィンドウＷ１がポップアップ表示された状態を示す図である。図１１（ａ）は、本実施形態に係る、待機画面Ｓ１上に収集時確認ウィンドウＷ２がポップアップ表示された状態を示す図であり、図１１（ｂ）は、本実施形態に係る、待機画面Ｓ１上に停止時確認ウィンドウＷ３がポップアップ表示された状態を示す図である。
【００８２】
出納機１が待機状態にあるとき、操作端末３０の操作表示部３１０には、待機画面Ｓ１が表示される。図１０（ａ）に示すように、待機画面Ｓ１には、バラ紙幣の数量（在高）が金種別に示されたバラ紙幣数量表示部Ｄ１と、束紙幣の数量（在高）が金種別に示された束紙幣数量表示部Ｄ２と、バラ硬貨の数量（在高）が金種別に示されたバラ硬貨数量表示部Ｄ３と、包装硬貨の数量（在高）が金種別に示された包装硬貨数量表示部Ｄ４とが含まれる。また、待機画面Ｓ１には、バラ紙幣数量表示部Ｄ１と束紙幣数量表示部Ｄ２との間の位置に、グレーアウト表示された一時停止ボタンＢ１および強制終了ボタンＢ２が含まれる。この状態では、一時停止ボタンＢ１および強制終了ボタンＢ２への操作が無効化されている。
【００８３】
図６を参照し、紙幣処理ユニット１０側では、機器制御部２６０が、何れかの金種別収納部２００または金種別束収納部２５０において、収集開始条件が成立したか否かを監視する（Ｓ１０１）。収集開始条件は、自動収集処理を開始するための条件であり、たとえば、以下の開始条件１および開始条件２のうち、少なくとも何れか１つの開始条件が収集開始条件とされ得る。
【００８４】
開始条件１：金種別収納部２００内のバラ紙幣の数量が第１開始数量を超えており、且つ、第１開始数量を超えている金種別収納部２００と同じ金種に割り当てられた金種別束収納部２５０内の束紙幣の数量が空き保障数量を割っている
開始条件２：金種別束収納部２５０内の束紙幣の数量が第２開始数量を割っており、且つ、第２開始数量を割っている金種別束収納部２５０と同じ金種に割り当てられた金種別収納部２００内のバラ紙幣の数量が出金保障数量を超えている
ここで、第１開始数量は、たとえば、金種別収納部２００が満杯状態（フル状態）または満杯状態に近い状態（ニアフル状態）のときのバラ紙幣の数量に設定され得る。また、空き保障数量は、金種別収納部２００に十分な空ができるまでに生成される数量の束紙幣が収納可能となるような数量に設定され得る。さらに、第２開始数量は、たとえば、金種別束収納部２５０が空に近い状態の束紙幣の数量に設定され得る。さらに、出金保障数量は、金種別束収納部２５０に必要な数量分の束紙幣を生成するためにバラ紙幣が使われても、ある程度の回数の出金処理が可能となるような数量に設定され得る。
【００８５】
バラ紙幣の入金処理や束紙幣の出金処理が行われた結果、何れかの金種別収納部２００または金種別束収納部２５０において、収集開始条件が成立すると（Ｓ１０１：ＹＥＳ）、機器制御部２６０は、端末制御部３２０へ収集開始の通知を行った後に（Ｓ１０２）、収集開始条件が成立した金種別収納部２００とそれに対応する金種別束収納部２５０または収集開始条件が成立した金種別束収納部２５０とそれに対応する金種別収納部２００に対して自動収集処理を開始する（Ｓ１０３）。図４（ｂ）にて説明した通り、金種別収納部２００からがらバラ紙幣が繰り出されて、繰り出されたバラ紙幣から束紙幣が生成され、生成された束紙幣が金種別束収納部２５０に収納される。自動収集処理中に変化する金種別収納部２００内のバラ紙幣の数量データおよび金種別束収納部２５０内の束紙幣の数量データは、リアルタイムに機器制御部２６０から端末制御部３２０へ送られる。
【００８６】
自動収集処理が行われている間、機器制御部２６０は、端末制御部３２０から一時停止指令または強制終了指令が発せられたか否かを監視する（Ｓ１０４、Ｓ１０５）。また、機器制御部２６０は、収集終了条件が成立したか否かを監視する（Ｓ１０６）。収集終了条件は、自動収集処理を終了するための条件であり、たとえば、以下の終了条件１ないし終了条件３のうち、少なくとも何れか１つの終了条件が収集終了条件とされ得る。
【００８７】
終了条件１：予め設定された数量の束紙幣が生成された
終了条件２：金種別収納部２００内のバラ紙幣の数量が第１終了数量を割った
終了条件３：金種別束収納部２５０内の束紙幣の数量が第２終了数量に達した
なお、終了条件１は、開始条件１および開始条件２のどちらによって自動収集処理が開始されたときにも使用され得る。一方、終了条件２は、開始条件１により自動収集処理が開始されたときに使用され、終了条件３は、開始条件２により自動収集処理が開始されたときに使用され得る。
【００８８】
ここで、第１終了数量は、自動収集処理の後、入金処理がある程度集中しても第１開始数量を超えず、出金処理がある程度集中しても出金保障数量を割らない値、たとえば、出金保障数量と第１開始数量との中間程度の数量に設定され得る。また、第２終了数量は、たとえば、金種別束収納部２５０が満杯状態（フル状態）または満杯状態に近い状態（ニアフル状態）のときの束紙幣の数量に設定され得る。
【００８９】
端末制御部３２０から一時停止指令または強制終了指令が発せられることなく、収集終了条件が成立すると（Ｓ１０６：ＹＥＳ）、機器制御部２６０は、自動収集処理を終了し、端末制御部３２０へ収集完了の通知を行う（Ｓ１０７）。ここで、収集終了条件の成立の有無は、金種別収納部２００から結束枚数分のバラ紙幣が繰り出される毎に判定され、収集終了条件が成立した場合、新たなバラ紙幣の繰り出しは行われない。よって、最後に繰り出されたバラ紙幣から生成された束紙幣が金種別束収納部２５０に収納されたときに自動収集処理が終了することとなる。
【００９０】
なお、バラ紙幣の入金処理や束紙幣の出金処理が行われた結果、複数の金種別収納部２００または金種別束収納部２５０において収集開始条件が成立した場合、収集開始条件が成立した全ての金種別収納部２００または金種別束収納部２５０に対して順次自動収集処理が行われる。
【００９１】
収集完了の通知が行われると、紙幣処理ユニット１０側の自動収集制御処理が一旦終了されて最初から開始される。
【００９２】
図７を参照し、操作端末３０側では、端末制御部３２０が、操作表示部３１０に待機画面Ｓ１（図１０（ａ）参照）を表示させた状態で、機器制御部２６０から収集開始の通知がなされたか否かを監視する（Ｓ２０１）。紙幣処理ユニット１０側で自動収集処理が開始されることにより、収集開始の通知がなされると（Ｓ２０１：ＹＥＳ）、端末制御部３２０は、待機画面Ｓ１に含まれる一時停止ボタンＢ１および強制終了ボタンＢ２への操作を有効にする（Ｓ２０２）。図１０（ｂ）に示すように、待機画面Ｓ１では、一時停止ボタンＢ１および強制終了ボタンＢ２のグレーアウト表示が解除される。これにより、一時停止ボタンＢ１の押下による一時停止操作および強制終了ボタンＢ２の押下による強制終了操作が、操作表示部３１０によって受け付け可能となる。また、待機画面Ｓ１には、強制終了ボタンＢ２の下方位置に、バラ紙幣が束紙幣に変換されていることを示す矢印マークＤ５が表示される。さらに、自動収集処理の進行に応じて、バラ紙幣数量表示部Ｄ１では、自動収集処理の対象となる金種のバラ紙幣量が減少し、束紙幣数量表示部Ｄ２では、自動収集処理の対象となる金種の束紙幣量が増加する。
【００９３】
端末制御部３２０は、一時停止操作または強制終了操作がなされたか否かを監視する（Ｓ２０３、Ｓ２０４）。また、端末制御部３２０は、電源スイッチ５０ａに対する電源のオフ操作がなされたか否かを監視する（Ｓ２０５）。さらに、端末制御部３２０は、機器制御部２６０から収集完了の通知がなされたか否かを監視する（Ｓ２０６）。
【００９４】
一時停止操作、強制終了操作または電源のオフ操作がなされることなく、自動収集処理が完了し、機器制御部２６０から収集完了の通知を受けると（Ｓ２０６：ＹＥＳ）、端末制御部３２０は、一時停止ボタンＢ１および強制終了ボタンＢ２への操作を無効化する（Ｓ２０７）。一時停止ボタンＢ１および強制終了ボタンＢ２は、再び、図１０（ａ）のようなグレーアウト表示の状態となる。また、待機画面Ｓ１上から矢印マークＤ５が消去される。操作端末３０側の自動収集制御処理が一旦終了されて最初から開始される。
【００９５】
自動収集処理が行われている最中において、係員等は、自動収集処理を一時的に停止させようする場合には一時停止操作を行い、自動収集処理を強制的に終了させようとする場合には強制終了操作を行う。何れの操作も自動収集処理を停止させる操作であるが、一時停止操作の場合には、自動収集処理は中断した状態となるので、後述する収集再開操作によって自動収集処理を再開させることができる。一方、強制終了操作の場合には、自動収集処理が強制的に終了されるので再開はできず、その後、再び、収集開始条件が成立するのを待つことになる。
【００９６】
まず、自動収集処理の最中に係員等が一時停止操作を行った場合について説明する。
【００９７】
一時停止操作がなされた場合（Ｓ２０３：ＹＥＳ）、端末制御部３２０は、一時停止指令を機器制御部２６０へ出力する（Ｓ２０８）。
【００９８】
図６に戻り、紙幣処理ユニット１０側では、端末制御部３２０から一時停止指令が発せられると（Ｓ１０４：ＹＥＳ）、機器制御部２６０が、一時停止処理を行った後に自動収集処理を停止させる（Ｓ１０８）。即ち、機器制御部２６０は、金種別収納部２００からのバラ紙幣の繰出しを停止する。また、機器制御部２６０は、金種別束収納部２５０へ搬送中の束紙幣を金種別束収納部２５０内に収納させる。また、機器制御部２６０は、結束部２２０にあるバラ紙幣から束紙幣を生成し、生成した束紙幣を金種別束収納部２５０内に収納させる。さらに、機器制御部２６０は、搬送部１５０上に残留するバラ紙幣を２つの集積部２１０に送り込む。２つの集積部２１０のバラ紙幣が結束枚数になっても搬送部１５０上にバラ紙幣が残る場合、機器制御部２６０は、その残ったバラ紙幣を金種別収納部２００に戻す。さらに、機器制御部２６０は、自動収集処理の進行状況に係る情報として、停止時点までに金種別束収納部２５０に送り込んだ束紙幣の数量、再開後に金種別束収納部２５０に送り込まれる予定の束紙幣の数量、集積部２１０に保持されているバラ紙幣の数量などの情報を、機器記憶部２７０に記憶させる。なお、一時停止処理は、特許請求の範囲の「停止処理」に対応する。
【００９９】
自動収集処理が停止した状態において、揚送部２３０および束搬送部２４０には束紙幣が残留せず、搬送部１５０にはバラ紙幣が残留しない。
【０１００】
このような一時停止処理が行われた後に、自動収集処理が停止されると、機器制御部２６０は、端末制御部３２０へ停止完了の通知を行う（Ｓ１０９）。
【０１０１】
図７に戻り、操作端末３０側では、一時停止指令の出力後（Ｓ２０８）、機器制御部２６０から停止完了の通知がなされると（Ｓ２０９：ＹＥＳ）、端末制御部３２０が、図１０（ｃ）のように、操作表示部３１０に通知アイコンＣ１を表示させ、自動収集処理が停止中であることを通知させる（Ｓ２１０）。さらに、端末制御部３２０は、一時停止ボタンＢ１および強制終了ボタンＢ２への操作を無効化する（Ｓ２１１）。図１０（ｃ）のように、一時停止ボタンＢ１および強制終了ボタンＢ２が、再び、グレーアウト表示の状態となるとともに、待機画面Ｓ１上から矢印マークＤ５が消去される。
【０１０２】
通知アイコンＣ１は、自動収集処理の再開のためにも利用される。即ち、図８を参照し、端末制御部３２０は、自動収集処理が停止（中断）している間、通知アイコンＣ１が押下されたか否かを監視する（Ｓ２１２）。そして、通知アイコンＣ１が押下されると（Ｓ２１３）、端末制御部３２０は、操作表示部３１０に表示された待機画面Ｓ１上に再開確認ウィンドウＷ１をポップアップ表示させる（Ｓ２１３）。図１０（ｄ）に示すように、再開確認ウィンドウＷ１には、再開ボタンＢ３および戻しボタンＢ４が含まれる。再開ボタンＢ３の押下による再開操作および戻しボタンＢ４の押下による戻し操作が操作表示部３１０で受け付けられる。
【０１０３】
端末制御部３２０は、再開操作または戻し操作がなされたか否かを判定する（Ｓ２１４、Ｓ２１５）。係員等は、自動収集処理を再開させる場合には再開ボタンＢ３を押下し、自動収集処理の再開を止める場合には戻しボタンＢ４を押下する。
【０１０４】
再開操作がなされると（Ｓ２１４：ＹＥＳ）、端末制御部３２０は、再開確認ウィンドウＷ１を消去し（Ｓ２１６）、機器制御部２６０へ再開指令を出力する（Ｓ２１７）。そして、Ｓ２０２の処理に戻り、端末制御部３２０は、待機画面Ｓ１に含まれる一時停止ボタンＢ１および強制終了ボタンＢ２への操作を有効化する。図１０（ｂ）のように、待機画面Ｓ１では、一時停止ボタンＢ１および強制終了ボタンＢ２のグレーアウト表示が解除され、また、矢印マークＤ５が表示される。さらに、通知アイコンＣ１が消去される。一方、戻し操作がなされると（Ｓ２１５：ＹＥＳ）、端末制御部３２０は、再開確認ウィンドウＷ１を消去し（Ｓ２１８）、Ｓ２１２の処理に戻って、再び通知アイコンＣ１の押下を監視する。
【０１０５】
再び図６に戻り、紙幣処理ユニット１０側では、端末制御部３２０へ停止完了の通知を行った後（Ｓ１０９）、端末制御部３２０から再開指令が発せられると（Ｓ１１０：ＹＥＳ）、Ｓ１０２の処理に戻り、機器制御部２６０が、端末制御部３２０へ収集開始（再開）の通知を行った後、再び、自動収集処理を開始させる（Ｓ１０３）。このとき、機器制御部２６０は、機器記憶部２７０に記憶した進行状況に係る情報に基づいて自動収集処理を再開させる。たとえば、金種別束収納部２５０に送り込んだ束紙幣の数量は、停止時に機器記憶部２７０に記憶された束紙幣の数量から計数が開始され、集積部２１０内のバラ紙幣の数量も、停止時に機器記憶部２７０に記憶された集積部２１０内のバラ紙幣の数量から計数が再開される。
【０１０６】
次に、自動収集処理の最中に係員等が強制終了操作を行った場合について説明する。
【０１０７】
図７のように、操作端末３０側では、強制終了操作がなされた場合（Ｓ２０４：ＹＥＳ）、端末制御部３２０が、強制終了指令を機器制御部２６０へ出力する（Ｓ２１９）。
【０１０８】
図６のように、紙幣処理ユニット１０側では、端末制御部３２０から強制終了指令が発せられると（Ｓ１０５：ＹＥＳ）、機器制御部２６０が、強制終了処理を行った後に自動収集処理を停止させる（Ｓ１１１）。即ち、機器制御部２６０は、金種別束収納部２５０へ搬送中の束紙幣を金種別束収納部２５０内に収納させる。また、機器制御部２６０は、２つの集積部２１０内の紙幣の枚数が結束枚数になるまで、バラ紙幣を２つの集積部２１０に送り込み、結束部２２０および集積部２１０にあるバラ紙幣から束紙幣を生成し、生成した束紙幣を金種別束収納部２５０内に収納させる。強制終了処理が開始されたときに搬送部１５０上に残留する紙幣のみによって集積部２１０のバラ紙幣が結束枚数に達し、その上で搬送部１５０上にバラ紙幣が残った場合、機器制御部２６０は、その残ったバラ紙幣を金種別収納部２００に戻す。なお、強制終了処理は、特許請求の範囲の「停止処理」に対応する。
【０１０９】
自動収集処理が停止した状態において、揚送部２３０および束搬送部２４０には、束紙幣が残留せず、包装紙幣生成部２８０（集積部２１０、結束部２２０）および搬送部１５０には、バラ紙幣が残留しない。即ち、一時停止操作が行われた場合には、その後の再開を前提としているので、金種別収納部２００から繰り出されたが束紙幣に変換されていないバラ紙幣、即ち仕掛のバラ紙幣が集積部２１０に残ることがあるが、強制終了操作が行われた場合には、その後の再開を前提としないので、仕掛のバラ紙幣が、全て束紙幣に変換されて金種別束収納部２５０に収納される。
【０１１０】
このような強制終了処理が行われた後に、自動収集処理が停止されると、機器制御部２６０は、端末制御部３２０へ停止完了の通知を行う（Ｓ１１２）。こうして、紙幣処理ユニット１０側の自動収集制御処理が終了する。
【０１１１】
図７のように、操作端末３０側では、強制終了指令の出力後（Ｓ２１９）、機器制御部２６０から停止完了の通知がなされると（Ｓ２２０：ＹＥＳ）、端末制御部３２０は、自動収集処理が完了したときと同様、一時停止ボタンＢ１および強制終了ボタンＢ２への操作を無効化する（Ｓ２０７）。こうして、操作端末３０側の自動収集制御処理が終了する。
【０１１２】
次に、自動収集処理の最中に係員等が電源のオフ操作を行った場合について説明する。
【０１１３】
図７および図９を参照し、操作端末３０側において、電源のオフ操作がなされたと判定された場合（Ｓ２０５：ＹＥＳ）、端末制御部３２０は、操作表示部３１０に表示された待機画面Ｓ１上に収集時確認ウィンドウＷ２をポップアップ表示させる（Ｓ２２１）。図１１（ａ）に示すように、収集時確認ウィンドウＷ２には、収集継続ボタンＢ５および収集終了ボタンＢ６が含まれる。収集継続ボタンＢ５の押下による収集継続操作および収集終了ボタンＢ６の押下による収集終了操作が操作表示部３１０で受け付けられる。
【０１１４】
端末制御部３２０は、収集継続操作または収集終了操作がなされたか否かを判定する（Ｓ２２２、Ｓ２２３）。係員等は、出納機１の電源をオフせず自動収集処理を継続させる場合に収集継続ボタンＢ５を押下し、自動収集処理を強制的に終了させて電源をオフする場合に収集終了ボタンＢ６を押下する。
【０１１５】
収集継続操作がなされると（Ｓ２２２：ＹＥＳ）、端末制御部３２０は、収集時確認ウィンドウＷ２を消去する（Ｓ２２４）。そして、Ｓ２０３の処理に戻り、収集完了の通知を受けるまで、一時停止操作、強制終了操作および電源のオフ操作の監視を続ける（Ｓ２０３ないしＳ２０６）。一方、収集終了操作がなされると（Ｓ２２３：ＹＥＳ）、端末制御部３２０は、機器制御部２６０に強制終了指令を出力する（Ｓ２２５）。これにより、紙幣処理ユニット１０側では、強制終了操作がなされたときと同様に、強制終了指令に基づいて強制終了処理の後に、自動収集処理が停止され、停止完了の通知が行われる（Ｓ１１１、Ｓ１１２）。機器制御部２６０から停止完了の通知がなされると（Ｓ２２６：ＹＥＳ）、端末制御部３２０は、収集時確認ウィンドウＷ２を消去し（Ｓ２２７）、電源ユニット５０に対して電源オフ指令を出力する（Ｓ２２８）。こうして、操作端末３０側の自動収集制御処理が終了される。
【０１１６】
電源ユニット５０は、電源オフ指令に従って所定の電源オフ処理を行う。これによって、出納機１の電源がオフされる。
【０１１７】
一時停止操作に基づいて自動収集処理が一時停止している間に、係員等によって電源のオフ操作なされる場合がある。以下この場合について説明する。
【０１１８】
図８を参照して、操作端末３０側において、端末制御部３２０は、自動収集処理が一時停止している間、通知アイコンＣ１の押下の有無だけでなく、電源のオフ操作がなされたか否かも監視する（Ｓ２２９）。そして、電源のオフ操作がなされると（Ｓ２２９：ＹＥＳ）、端末制御部３２０は、操作表示部３１０に表示された待機画面Ｓ１上に停止時確認ウィンドウＷ３をポップアップ表示させる（Ｓ２３０）。図１１（ｂ）に示すように、停止時確認ウィンドウＷ３には、収集再開ボタンＢ７および収集終了ボタンＢ８が含まれる。収集再開ボタンＢ７の押下による収集再開操作および収集終了ボタンＢ８の押下による収集終了操作が操作表示部３１０で受け付けられる。
【０１１９】
収集再開操作がなされると（Ｓ２３１：ＹＥＳ）、端末制御部３２０は、停止時確認ウィンドウＷ３を消去し（Ｓ２３３）、機器制御部２６０へ再開指令を出力する（Ｓ２１７）。この再開指令に基づいて、紙幣処理ユニット１０側では、自動収集処理が再び開始される（Ｓ１１０：ＹＥＳ→Ｓ１０２→Ｓ１０３）。一方、収集終了操作がなされると（Ｓ２３２：ＹＥＳ）、端末制御部３２０は、機器制御部２６０へ終了指令を出力する（Ｓ２３４）。
【０１２０】
図６を参照して、紙幣処理ユニット１０側では、自動収集処理が一時停止している間、再開指令が発せられたか否かとともに（Ｓ１１０）、終了指令が発せられたか否かも監視している（Ｓ１１３）。端末制御部３２０から終了指令が発せられると（Ｓ１１３：ＹＥＳ）、機器制御部２６０は、収集終了処理を行う（Ｓ１１４）。即ち、機器制御部２６０は、２つの集積部２１０内の紙幣の枚数が結束枚数になるまで金種別収納部２００からバラ紙幣を２つの集積部２１０に送り込み、その後、結束枚数に揃ったバラ紙幣を結束部２２０へ搬送して束紙幣を生成し、生成した束紙幣を金種別束収納部２５０内に収納させる。これにより、強制終了処理の後に自動収集処理が停止したときと同じように、仕掛のバラ紙幣が、全て束紙幣に変換されて金種別束収納部２５０に収納されることになる。
【０１２１】
このような収集終了処理が行われると、機器制御部２６０は、端末制御部３２０へ収集終了処理の完了を通知する（Ｓ１１５）。こうして、紙幣処理ユニット１０側の自動収集制御処理が終了する。
【０１２２】
図８に戻り、操作端末３０側では、機器制御部２６０から収集終了処理の完了が通知されると（Ｓ２３５：ＹＥＳ）、端末制御部３２０が、停止時確認ウィンドウＷ３を消去し（Ｓ２３６）、電源ユニット５０に対して電源オフ指令を出力する（Ｓ２３７）。こうして、操作端末３０側の自動収集制御処理が終了される。また、出納機１の電源がオフされる。
【０１２３】
硬貨処理ユニット２０（機器制御部４００）と操作端末３０（端末制御部３２０）とにより行われる硬貨の自動収集制御処理については、これまでに説明した紙幣の自動収集制御処理と同様である。硬貨の自動取集制御処理では、図１２（ａ）および（ｂ）に示すように、操作表示部３１０に表示された待機画面Ｓ１のバラ硬貨数量表示部Ｄ３と包装硬貨数量表示部Ｄ４との間に一時停止ボタンＢ１および強制終了ボタンＢ２が配置される。自動収集処理が開始される前には、図１２（ａ）のように、一時停止ボタンＢ１および強制終了ボタンＢ２がグレーアウト表示され、自動収集処理が行われている間は、図１２（ｂ）のように、一時停止ボタンＢ１および強制終了ボタンＢ２のグレーアウト表示が解除される。また、自動収集処理が行われている間は、強制終了ボタンＢ２の下方位置に矢印マークＤ５が表示される。なお、実際には、待機画面Ｓ１において、バラ紙幣数量表示部Ｄ１と束紙幣数量表示部Ｄ２との間の位置とバラ硬貨数量表示部Ｄ３と包装硬貨数量表示部Ｄ４との間の位置のそれぞれに、一時停止ボタンＢ１および強制終了ボタンＢ２が配置される。
【０１２４】
＜実施形態の効果＞
本実施形態によれば、以下の効果が奏され得る。
【０１２５】
（１）一時停止操作または強制終了操作を行うことによって、実行途中の自動収集処理を停止させることができる。
【０１２６】
（２）自動収集処理を停止する前に、一時停止処理または強制終了処理が行われ、搬送部１５０からバラ紙幣（バラ硬貨）が除去される。このため、自動収集処理の停止中に入金処理や出金処理が行われることが生じても、搬送部１５０にバラ紙幣が残留していないので、エラーに繋がってしまうことが防止される。
【０１２７】
（３）強制終了操作に基づいて行われる強制終了処理では、結束枚数に揃うまでバラ紙幣（バラ貨幣）を包装紙幣生成部２８０に送り込み、包装紙幣生成部２８０内の全てのバラ紙幣を束紙幣（包装貨幣）に変換して金種別束収納部２５０に収納するようにしているので、自動収集処理を停止したときに、包装紙幣生成部２８０内にバラ紙幣を残さないようにすることができる。よって、自動収集処理を再開させずにそのまま終了させても、その後、包装紙幣生成部２８０を用いた取引処理を行うことが可能となる。
【０１２８】
（４）一時停止操作に基づいて自動収集処理が停止されたとき、通知アイコンＣ１によって自動収集処理が停止中であることが通知されるようにしているので、自動収集処理が停止中であることを係員等が認識できる。
【０１２９】
（５）一時停止操作に基づいて自動収集処理が停止されたとき、係員等は、再開確認ウィンドウＷ１上での再開操作を行うことで、停止している自動収集処理を再開させることができる。しかも、その後に自動収集処理の再開が見込まれる一時停止処理では、包装紙幣生成部２８０内にバラ紙幣を残したままとするため、強制終了処理に比べて処理に要する時間を短くでき、自動収集処理を早く停止させることが可能となる。
【０１３０】
（６）一時停止操作に基づいて自動収集処理が停止されたときに進行状況に係る情報が機器記憶部２７０に記憶され、再開操作がなされたときに、進行状況に係る情報に基づいて自動収集処理が再開される。これにより、自動収集処理を停止前の続きから適正に再開させることが可能となる。
【０１３１】
（７）自動収集処理中に出納機１の電源をオフするオフ操作がなされた場合は、強制終了処理が行われ、搬送部１５０からバラ紙幣（バラ硬貨）が除去された後に、自動収集処理が停止されるので、搬送部１５０にバラ紙幣が残留した状態で出納機１の電源がオフされることが防止できる。これにより、次に出納機１の電源がオンされ、入金処理や出金処理が行われたときのバラ紙幣の残留エラーが防止される。しかも、包装紙幣生成部２８０内にバラ紙幣が残らないので、次に出納機１の電源がオンされたときに、自動収集処理が再開されなくても、包装紙幣生成部２８０を用いた取引処理を行うことが可能となる。
【０１３２】
（８）一時停止操作に基づく自動収集処理の停止中に電源のオフ操作がなされた場合は、収集終了処理が行われ、包装紙幣生成部２８０に残っているバラ紙幣（バラ貨幣）が結束枚数となるまで包装紙幣生成部２８０にバラ紙幣が送り込まれ、包装紙幣生成部２８０内の全てのバラ紙幣が束紙幣（包装貨幣）に変換されて金種別束収納部２５０に収納されるので、包装紙幣生成部２８０にバラ紙幣が残留した状態で電源がオフされることが防止できる。これにより、次に出納機１の電源がオンされたときに、自動収集処理が再開されなくても、包装紙幣生成部２８０を用いた取引処理を行うことが可能となる。
【０１３３】
以上、本発明の実施形態について説明したが、本発明は、上記実施形態によって何ら制限されるものではなく、また、本発明の実施形態も、以下に示す通り、上記以外に種々の変更が可能である。
【０１３４】
＜変更例１＞
図１３は、変更例１に係る、操作端末３０側で行われる自動収集制御処理のフローチャートであり、図７に対応するフローチャートである。なお、本変更例の自動収集制御処理では、上記実施形態の自動収集制御処理に比較して、Ｓ２４０およびＳ２４１の処理が追加されている。また、図１３のフローチャートでは、Ｓ２３２、Ｓ２３４ないしＳ２３７の処理が省略されている。
【０１３５】
本変更例では、操作端末３０側において、通知アイコンＣ１を表示し（Ｓ２１０）、待機画面Ｓ１上の一時停止ボタンＢ１および強制終了ボタンＢ２を無効すると（Ｓ２１１）、さらに、端末制御部３２０は、制限時間のカウントを開始する（Ｓ２４０）。制限時間は、たとえば、１０分であり、予め設定される。なお、制限時間は、自動収集処理が一時停止されたときに、係員等が自由に設定できるようにしてもよい。
【０１３６】
通知アイコンＣ１の押下または電源のオフ操作が無いまま制限時間が経過すると（Ｓ２４１：ＹＥＳ）、端末制御部３２０は、機器制御部２６０に再開指令を出力する（Ｓ２１７）。これにより、紙幣処理ユニット１０側では、自動収集処理が再開される。
【０１３７】
本変更例によれば、一時停止された自動収集処理が再開されないまま放置されることを防止できる。これにより、自動収集処理の対象となった金種別収納部２００が、空きの少ない状態のまま放置されることが防止され、以降の入金処理に支障を来しにくい。
【０１３８】
＜変更例２＞
図１４（ａ）は、変更例２に係る、自動収集処理が開始される前の待機画面Ｓ１の状態を示す図であり、図１４（ｂ）は、変更例２に係る、自動収集処理が行われているときの待機画面Ｓ１の状態を示す図である。
【０１３９】
本変更例では、図１４（ａ）に示すように、待機画面Ｓ１上に一時停止ボタンＢ１および強制終了ボタンＢ２に加えて、収集開始条件の成立前に自動収集処理を開始させるための収集開始ボタンＢ９が配置される。出納機１が待機状態にあるとき、収集開始ボタンＢ９が有効化され、収集開始ボタンＢ９による収集開始操作が操作表示部３１０で受け付けられる。
【０１４０】
収集開始操作がなされると、端末制御部３２０から機器制御部２６０へ開始指令が出力され、機器制御部２６０が、全ての金種について自動収集処理を開始する。この自動収集処理の終了も収集終了条件が成立したときとなる。よって、最初から収集終了条件が成立するような金種については、自動収集処理が行われない。
【０１４１】
収集開始操作に基づいて自動収集処理が開始されると、収集開始ボタンＢ９が無効化され、図１４（ｂ）に示すように、収集開始ボタンＢ９がグレーアウト表示に替わる。同様に、収集開始条件の成立によって自動収集処理が開始されたときも、収集開始ボタンＢ９が無効化される。
【０１４２】
なお、収集開始操作がなされたときに、収集開始条件の成立に一番近い金種について自動収集処理が開始されるようにしてもよい。あるいは、待機画面Ｓ１のバラ紙幣数量表示部Ｄ１上において、係員等が所望の金種をタッチすることで自動収集処理を行う金種を指定できるようにし、指定された金種について自動収集処理が開始されるようにしてもよい。また、自動収集処理が開始される前に全ての金種について収集終了条件が成立しているときには、収集開始ボタンＢ９が無効化され、グレーアウト表示にされるようにしてもよい。
【０１４３】
本変更例の構成によれば、係員等が都合のよいタイミングで、自動収集処理を開始させることができる。
【０１４４】
なお、収集開始ボタンＢ９による場合は、開始のタイミングは自動ではないが、終了は収集終了条件の成立によるものであるので、本変更例においても、自動収集処理と称している。
【０１４５】
＜その他の変更例＞
上記実施形態では、自動収集処理が行われていないときに、待機画面Ｓ１上で一時停止ボタンＢ１および強制終了ボタンＢ２がグレーアウト表示されたが、待機画面Ｓ１上から一時停止ボタンＢ１および強制終了ボタンＢ２が消されてもよい。これにより、一時停止操作および強制終了操作が操作表示部３１０で受け付けられなくなる。同様に、上記変更例２において、自動収集処理が行われているとき、収集開始ボタンＢ９が消されてもよい。
【０１４６】
また、上記実施形態では、一時停止処理において、集積部２１０、即ち包装紙幣生成部２８０に搬送部１５０に残るバラ紙幣が送り込まれた。しかしながら、搬送部１５０に残るバラ紙幣が、包装紙幣生成部２８０に送り込まれることなく、全て、金種別収納部２００に戻されてもよい。また、集積部２１０内のバラ紙幣を搬送部１５０に繰り出す繰出機構が設けられるようにし、一時停止処理や強制終了処理において、集積部２１０内に残るバラ紙幣が全て金種別収納部２００に戻されるようにしてもよい。さらに、一時停止処理や強制終了処理において、結束部２２０内にあるバラ紙幣を束紙幣にせず、そのままにしておいてもよい。
【０１４７】
さらに、上記実施形態において、通知アイコンＣ１が押下されないまま、所定時間が経過すると、操作表示部３１０上での表示、あるいはスピーカ（図示せず）からのアラームや音声により、自動収集処理の再開が促されてもよい。これにより、自動収集処理が停止したまま放置されることが防止される。
【０１４８】
さらに、自動収集処理が停止し、通知アイコンＣ１が表示された状態において、包装紙幣生成部２８０を含む部位が開閉され、集積部２１０からバラ紙幣が抜き出せるような状態となった場合には、通知アイコンＣ１がグレーアウト表示または消去されることにより、自動収集処理が再開されないようにしてもよい。これにより、集積部２１０内のバラ紙幣の数量が機器記憶部２７０に記憶された数量（進行状況に係る情報の一つ）と同じであるか保証できない状態で自動収集処理が再開されてしまうことが防止される。
【０１４９】
さらに、上記実施形態では、係員等は、動収集処理を停止した後、再開を可能とする一時停止操作と、自動収集処理を停止した後、そのまま自動収集処理を終了させる強制終了操作の双方を行うことができた。しかしながら、一時停止操作と強制終了操作の何れか一方のみが行える構成とされてもよい。
【０１５０】
さらに、上記実施形態では、進行状況に係る情報が、機器記憶部２７０に記憶された。しかしながら、進行状況に係る情報が機器記憶部２７０以外の記憶部、たとえば、端末記憶部３３０に記憶されてもよい。
【０１５１】
さらに、上記実施形態では、操作端末３０（端末制御部３２０）と紙幣処理ユニット１０（機器制御部２６０）または硬貨処理ユニット２０（機器制御部４００）とで自動収集制御処理が実行された。操作端末３０（端末制御部３２０）側の自動収集制御処理が、管理コンピュータ２（制御部２ａ）側やタブレット端末５側、携帯電話端末６側で実行されてもよい。この場合、管理コンピュータ２のモニタディスプレイ２ｃ、タブレット端末５のディスプレイまたは携帯電話端末６のディスプレイに、自動収集制御処理に関係する画面等（待機画面Ｓ１、再開確認ウィンドウＷ１、収集時確認ウィンドウＷ２、停止時確認ウィンドウＷ３）が表示される。
【０１５２】
さらに、上記実施形態において、操作端末３０側の自動収集制御処理の中の電源のオフ操作に係る処理、即ち、Ｓ２０５、Ｓ２２１ないしＳ２３７の処理が行われないようにされてもよい。
【０１５３】
さらに、本発明は、バラ紙幣を処理する処理ユニットと束紙幣（包装紙幣）を処理する処理ユニットが別体に設けられ、バラ硬貨を処理する処理ユニットと包装硬貨を処理する処理ユニットが別体に設けられた、出納機１よりも大型の出納機に適用されてもよい。さらに、本発明は、出納機１と管理コンピュータ２を含む貨幣処理システム４以外の貨幣処理システムに適用されてもよい。
【０１５４】
この他、本発明の実施形態は、特許請求の範囲に記載の範囲で適宜変更可能である。
【符号の説明】
【０１５５】
１  出納機（貨幣処理装置）
２  管理コンピュータ（管理装置）
４  貨幣処理システム
１５０  搬送部
２００  金種別収納部（バラ貨幣収納部）
２５０  金種別束収納部（包装貨幣収納部）
２６０  機器制御部（制御部）
２７０  機器記憶部（記憶部）
２８０  包装紙幣生成部（包装貨幣生成部）
３１０  操作表示部（停止操作受付部、オフ操作受付部、再開操作受付部、通知部）
３２０  端末制御部（制御部）
【図１】
2018101371.tif 000003
【図２】
2018101371.tif 000004
【図３】
2018101371.tif 000005
【図４】
2018101371.tif 000006
【図５】
2018101371.tif 000007
【図６】
2018101371.tif 000008
【図７】
2018101371.tif 000009
【図８】
2018101371.tif 000010
【図９】
2018101371.tif 000011
【図１０】
2018101371.tif 000012
【図１１】
2018101371.tif 000013
【図１２】
2018101371.tif 000014
【図１３】
2018101371.tif 000015
【図１４】
2018101371.tif 000016